(57)【要約】【課題】室内に正圧又は負圧がかかるような非常に大きな台風時であっても室内への漏水を防止でき且つ需要者の費用負担が安く済むサッシを提供する。【解決手段】サッシ２において、サッシ用隙間塞ぎピース１Ｃは、硬質部１５と、軟質部１７とを備え、硬質部１５は竪枠側部３３と竪枠側部３３に連続する下枠側部３５とから成り、竪枠側部３３は室内側面が竪枠見付け壁３７の室外側面に当接し、下枠側部３５は室内側面が下枠見付け壁３９の室外側面に当接し、軟質部１７は硬質部１５の室外側に設けてあると共に、内障子戸当り框４３の下部と、内障子下框４１の室内側面とに圧着している。【選択図】図１
2010133251.tif 000002
【特許請求の範囲】
【請求項１】
下枠と、竪枠と、外障子と、内障子と、サッシ用隙間塞ぎピースとを備え、サッシ用隙間塞ぎピースは、硬質部と、軟質部とを備え、硬質部は竪枠側部と竪枠側部に連続する下枠側部とから成り、竪枠側部は室内側面が竪枠見付け壁の室外側面に当接し、下枠側部は室内側面が下枠見付け壁の室外側面に当接し、軟質部は硬質部の室外側に設けてあると共に、内障子戸当り框下部と、内障子下框の室内側面とに圧着することを特徴とするサッシ。
【請求項２】
軟質部の見込み面は、内障子下框に当接する下枠タイト材の見込み面及び内障子戸当り框に当接する竪枠タイト材の見込み面に当接することを特徴とする請求項１に記載のサッシ。
【発明の詳細な説明】
【技術分野】
【０００１】
本発明は、室内への漏水を防止するサッシに関する。
【背景技術】
【０００２】
一般に、サッシの場合は、召合わせの下の部分と戸当りの下の部分の漏水を防ぐために、特許文献１のように、召合わせには、風止め板とシールピースを取り付け、戸当りにはストッパーを位置させる構造としてある。
【先行技術文献】
【特許文献】
【０００３】
【特許文献１】特開２００１−３３６３６５号公報
【発明の概要】
【発明が解決しようとする課題】
【０００４】
しかし、非常に大きな台風時には、室内に正圧又は負圧がかかるので、特許文献１のように、風止め板とシールピースと戸当りストッパーを組み合わせた従来の技術では充分でなく、室内が漏水するという問題があった。
このような年に一度有るか無いかの特別な台風を考慮して、水密構造の高いサッシに改造したり、当初から水密構造の高いサッシを選択したのでは需要者が負担する費用が高くなるという問題がある。
【０００５】
そこで、本発明は、室内に正圧又は負圧がかかるような非常に大きな台風時であっても室内への漏水を防止でき且つ需要者の費用負担が安く済むサッシの提供を目的とする。
【課題を解決するための手段】
【０００６】
請求項１に記載の発明は、下枠と、竪枠と、外障子と、内障子と、サッシ用隙間塞ぎピースとを備え、サッシ用隙間塞ぎピースは、硬質部と、軟質部とを備え、硬質部は竪枠側部と竪枠側部に連続する下枠側部とから成り、竪枠側部は室内側面が竪枠見付け壁の室外側面に当接し、下枠側部は室内側面が下枠見付け壁の室外側面に当接し、軟質部は硬質部の室外側に設けてあると共に、内障子戸当り框下部と、内障子下框の室内側面とに圧着することを特徴とする。
【０００７】
請求項２に記載の発明は、請求項１に記載の発明において、軟質部の見込み面は、内障子下框に当接する下枠タイト材の見込み面及び内障子戸当り框に当接する竪枠タイト材の見込み面に当接することを特徴とする。
【発明の効果】
【０００８】
請求項１に記載の発明によれば、サッシ用隙間塞ぎピースを装着するときには、障子を閉めた状態で、竪枠と下枠とが成す下コーナ部で内障子と枠の室内側見付け壁の間に嵌め込むだけで装着でき、サッシに後付けが容易にできる。下コーナ部における内障子と枠の室内側見付け壁との隙間は狭いので、この隙間にサッシ用隙間塞ぎピースを嵌め込むだけで装着できる。
軟質部は、内障子戸当り框下部と、内障子下框の室内側面とに圧着するので、室内に正圧又は負圧がかかるような非常に大きな台風時であっても、内障子戸当り下部における障子と枠との間から室内への漏水を防止できる。
【０００９】
請求項２に記載の発明によれば、請求項１に記載の発明と同様な作用効果を奏すると共に、軟質部は下枠のタイト材の見込み面と、竪枠のタイト材の見込み面とに当接するので軟質部材同士の当接により密着性が高まると共に下枠タイト材及び竪枠タイト材に連続したシールを図ることができ、更に漏水防止に優れる。
【図面の簡単な説明】
【００１０】
【図１】（ａ）は図３に示すサッシをＦ−Ｆ位置で切断した断面図であり、（ｂ）は図３に示すサッシをＧ−Ｇ位置で切断した断面図である。
【図２】図１に示すサッシ用隙間塞ぎピースの図であり、（ａ）は側面図であり、（ｂ）は正面図である。
【図３】本実施の形態にかかるサッシを室内側から見た正面図である。
【発明を実施するための形態】
【００１１】
以下に、添付図面を参照して本発明の実施の形態を説明する。図３に示すサッシ２には、本実施の形態にかかるサッシ用隙間塞ぎピース１Ｃが用いられている。
サッシ２は引き違いサッシであり、下枠３、外障子戸当り側竪枠５、内障子戸当り側竪枠１３と、外障子７と、内障子１１とを備え、下枠３及び内障子戸当り側竪枠１３と、内障子１１との間にサッシ用隙間塞ぎピース１Ｃが装着してある。
【００１２】
サッシ用隙間塞ぎピース１Ｃは、内障子の戸当り下部における室内への漏水防止を図るものであり、図１及び図２に示すように、硬質部１５と、軟質部１７とを備えており、内障子１１と内障子戸当り側の竪枠１３との下コーナ部に装着するものである。硬質部１５の室外側面１５ｂには軟質部１７が設けてある。
硬質部１５は、ポリアミドであり、軟質部１７はポリウレタンであり、本実施の形態では軟質部１７は吸水性を有している。
硬質部１５は、竪枠１３に沿う竪枠側部３３と下枠３に沿う下枠側部３５とを有し、正面図が略Ｌ字形状を成している。竪枠側部３３は室内側面３３ａが竪枠見付け壁３７の室外側面３７ａに当接し、下枠側部３５は室内側面３５ａが下枠見付け壁３９の室外側面３９ａに当接している。
軟質部１７は内障子戸当り側の竪框１３の下部と、内障子１１の下框４１の室内側面４１ａとに圧着している。
軟質部１７の下見込み面１７ａは、内障子用下枠タイト材４７の見込み面４７ａ及び竪枠１３に取付けてあり内障子１１の戸当り框４３の下部に当接する竪枠タイト材４５の見込み面４５ａに当接している。内障子用下枠タイト材４７は下枠３に取付けてあり且つ内障子下框４１に当接するタイト材である。
【００１３】
サッシ用隙間塞ぎピース１Ｃの装着及び作用効果について説明する。サッシ用隙間塞ぎピース１Ｃはサッシ２を閉めた後、内障子１１の戸当り框４３及び下框４１が成すコーナと、竪枠見付け壁３７と下枠見付け壁３９とが成すコーナとの間に圧入により装着する。下コーナ部における内障子１１と枠の室内側見付け壁３７、３９との隙間は狭いので、この隙間にサッシ用隙間塞ぎピース１Ｃを嵌め込むだけで装着できる。
サッシ用隙間塞ぎピース１Ｃによれば、竪枠１３と下枠３とが成す下コーナ部で内障子１１と枠の室内側見付け壁３７、３９との間に嵌め込むだけで装着でき、サッシ２に後付けが容易にできる。
軟質部１７は、内障子戸当り枠１３の下部と、内障子下框４１の室内側面４１ａとに圧着するので、室内に正圧又は負圧がかかるような非常に大きな台風時であって内障子戸当り下部における室内への漏水を防止できる。
軟質部１７は内障子用下枠タイト材４７の見込み面４７ａと、竪枠タイト材４５の見込み面４５ａとに当接するので軟質部材同士の当接により密着性が高まると共に内障子用下枠タイト材４７及び竪枠タイト材４５に連続したシールを図ることができ、更に漏水防止に優れる。
軟質部１７は、吸水性を有しているので、室内側に入り込もうとした雨水等は軟質部１７が保水して、室内への漏水を阻止することができる。
【００１４】
本発明は、上述した実施の形態に限らず、本発明の要旨を逸脱しない範囲で種々変形可能である。
例えば、硬質部１５はポリアミドに限らず、塩化ビニル樹脂等の部材でもよく、軟質部１７はポリウレタンに限らず、ゴム等の他の部材であってもよい。
また、軟質部１７は吸水性を有することに限らず、吸水性のない他の軟質性部材であってもよい。
サッシ用隙間塞ぎピース１Ｃが使用されるサッシ２は、２枚戸の引違い戸に限らず、３枚戸の引違い戸等であってもよく、戸の枚数は制限されない。
【符号の説明】
【００１５】
１Ｃ    サッシ用隙間塞ぎピース
２      サッシ
３      下枠
１１    内障子
１３    竪枠（内障子戸当り側）
１５    硬質部
１７    軟質部
１７ａ  下見込み面
３７    竪枠見付け壁
３９    下枠見付け壁
４１    内障子下框
４１ａ  室内側面
４５    竪枠タイト材（外障子戸当り側）
４５ａ  見込み面
４７    内障子用下枠タイト材
４７ａ  見込み面
【図１】
2010133251.tif 000003
【図２】
2010133251.tif 000004
【図３】
2010133251.tif 000005